(57)【要約】【課題】多数のアダプタをアダプタ取付パネルに設けた取付孔に列状に容易に取り付けできるアダプタ取付構造を提供する。【解決手段】多数のアダプタ２を列状に嵌合する取付孔３を設けた取付パネル１の前記取付孔３の孔縁前面３０に各アダプタ２の列側面の両外側面２１に張設した取付鍔部２２を当接させてアダプタ２を取付パネル１に取り付けるアダプタ取付構造において、前記取付孔３に対応した透孔４１を設けたカバー４を前記アダプタ２の取付鍔部２２の前面に当接させて該取付鍔部２２を前記取付パネル１と該カバー４で挟持して、前記アダプタ２の取付鍔部２２の前後面の少なくとも一方又は取付パネル１或いはカバー４の少なくとも一方に設けた係止凹部５又は係止突起６と、取付パネル１或いはカバー４の少なくとも一方又はアダプタ２の取付鍔部２２の前後面の少なくとも一方に対応させて設けた係止突起６又は係止凹部５を係止する。【選択図】図１
2010101981.tif 000002
【特許請求の範囲】
【請求項１】
多数のアダプタを列状に嵌合する取付孔を設けた取付パネルの前記取付孔の孔縁前面に各アダプタの列側面の両外側面に張設した取付鍔部を当接させてアダプタを取付パネルに取り付けるアダプタ取付構造において、
前記取付孔に対応した透孔を設けたカバーを前記アダプタの取付鍔部の前面に当接させて該取付鍔部を前記取付パネルと該カバーで挟持して、
前記アダプタの取付鍔部の前後面の少なくとも一方
又は
取付パネル或いはカバーの少なくとも一方
に設けた係止凹部又は係止突起と、
取付パネル或いはカバーの少なくとも一方
又は
アダプタの取付鍔部の前後面の少なくとも一方
に対応させて設けた係止突起又は係止凹部を係止したことを特徴とするアダプタ取付構造。
【請求項２】
取付パネル又はカバーの何れか一方の両面にアダプタの係止凹部又は係止突起に応じてそれぞれ間隔を異にして係止凹部又は係止突起を配置した請求項１に記載のアダプタ取付構造。
【請求項３】
係止凹部を取付鍔部の前後面の双方に設け、また、係止突起を取付パネルとカバーの双方に設け、
さらに、取付パネルとカバーに設けた前記係止突起を上下に互い違いに向かい合うようにした請求項１に記載のアダプタ取付構造。
【発明の詳細な説明】
【技術分野】
【０００１】
本発明は、多数のアダプタを取付パネルに設けた取付孔に列状に取り付けるアダプタ取付構造に関するものである。
【背景技術】
【０００２】
多数のアダプタを取付パネルに設けた取付孔に列状に取り付けるアダプタ取付構造としては、図１４−図１６に示すものが従来より知れている（例えば、特許文献１参照）。
【０００３】
前記した図１４−図１６に示す従来のものは、多数のアダプタ１００を列状に嵌合する取付孔２０１を設けた取付パネル２００の該取付孔２０１の孔縁前面に各アダプタ１００の両側に張設した取付鍔部１０１を当接したうえネジ１０２で固定するものである。ところが、この従来のものは各アダプタをそれぞれ一個ずつネジ１０２で固定しなければならず、この固定作業に時間が掛かるという問題がある。
【特許文献１】特開２００５−１４８３２７公報（図１、図２）
【発明の開示】
【発明が解決しようとする課題】
【０００４】
本発明は前記のような問題を解決するためになされたもので、多数のアダプタをアダプタ取付パネルに設けた取付孔に列状に容易に取り付けできるアダプタ取付構造を提供する。
【課題を解決するための手段】
【０００５】
本発明のアダプタ取付構造は、多数のアダプタを列状に嵌合する取付孔を設けた取付パネルの前記取付孔の孔縁前面に各アダプタの列側面の両外側面に張設した取付鍔部を当接させてアダプタを取付パネルに取り付けるアダプタ取付構造において、前記取付孔に対応した透孔を設けたカバーを前記アダプタの取付鍔部の前面に当接させて該取付鍔部を前記取付パネルと該カバーで挟持して、前記アダプタの取付鍔部の前後面の少なくとも一方又は取付パネル或いはカバーの少なくとも一方に設けた係止凹部又は係止突起と、取付パネル或いはカバーの少なくとも一方又はアダプタの取付鍔部の前後面の少なくとも一方に対応させて設けた係止突起又は係止凹部を係止したことを特徴とするものを基本の発明とする。
【０００６】
そして、この発明において、取付パネル又はカバーの何れか一方の両面にアダプタの係止凹部又は係止突起に応じてそれぞれ間隔を異にして係止凹部又は係止突起を配置したものとしてもよい。また、係止凹部を取付鍔部の前後面の双方に設け、また、係止突起を取付パネルとカバーの双方に設け、さらに、取付パネルとカバーに設けた前記係止突起を上下に互い違いに向かい合うようすることがより好ましいものである。
【発明の効果】
【０００７】
前記した本発明のアダプタ取付構造は、取付パネルの取付孔に嵌合した多数のアダプタは、それぞれ列側面となる両外側面に張設した取付鍔部を前記取付孔の孔縁前面とカバーに挟持したうえ取付鍔部の前後面の少なくとも一方に設けた係止凹部又は係止突起を該係止凹部又は係止突起に対応させて取付パネル或いはカバーに設けた係止突起又は係止凹部に係止されて取付パネルに的確に固定されるものである。したがって、各アダプタ毎に取付パネルにネジ止めすることが不要で取付作業の手間、時間を削減できるものである。
【０００８】
また、前記したとおり取付鍔部は係止凹部又は係止突起を取付パネル或いはカバーに設けた係止突起又は係止凹部を係止させたものであるから、取付孔の一部にアダプタを固定しないスペースがあって隣合うアダプタにより所定の取付位置を取る事ができない場合においても各アダプタは係止凹部と係止突起が係止されていることにより所定の取付位置に固定することができるものである。
【０００９】
また、取付パネル或いはカバーの何れか一方の両面にアダプタの係止凹部又は係止突起に応じてそれぞれ間隔を異にして係止突起又は係止凹部を配置したものとすれば、係止突起又は係止凹部を設けた取付パネル又はカバーの表裏を逆にすることにより、アダプタの係止凹部又は係止突起に応じた間隔の係止突起又は係止凹部を設けた取付パネル又はカバーの面を選択して使用することができるものである。
【００１０】
また、係止凹部を取付鍔部の前後面の双方に設け、また、係止突起を取付パネルとカバーの双方に設け、さらに、取付パネルとカバーに設けた前記突起を上下に互い違いに向かい合うようにしたものとすると、突起形成の加工費用が安くなる利点がある。
【発明を実施するための最良の形態】
【００１１】
次に、本発明の好ましい実施の形態を図に基づき説明する。
〔第１の実施形態〕
先ず、図１−図９に示す第１の実施形態について説明する。
この第１の実施形態はアダプタ２に張設した取付鍔部２２に係止凹部５を設け、取付パネル１又はカバー４の少なくとも一方に前記係止凹部５を係止する係止突起６を設けたものである。
【００１２】
１は取付パネルであり、該取付パネル１には光ファイバコードのコネクタを接続するアダプタ２の多数を列状に取り付ける取付孔３が設けてある。なお、図示のものは縦長の取付孔であることから上下に列状に多数のアダプタ２を取り付けるものであるが、横長の取付孔にあっては横方向すなわち左右に列状に取り付けるものであることは勿論である。
【００１３】
前記アダプタ２は列状方向の側面となる左右の外側面２１、２１に取付鍔部２２、２２を張設したもので、該取付鍔部２２、２２を前記取付孔３の孔縁前面３０に当接させて取り付けるものである。そして、前記取付孔３と対応した透孔４１を設けたカバー４を取付鍔部２２、２２の前面に当接して該カバー４を取付パネル１に固定して該取付パネル１とにより挟持してアダプタ２を取付パネル１に取り付けるものである。
なお、固定する手段については後述する。
【００１４】
また、前記アダプタ２の取付鍔部２２、２２の前後面の少なくとも一方には係止凹部５が設けてあり、該係止凹部５に対応させて取付パネル１すなわち取付孔３の孔縁前面３０又はカバー４に係止突起６を設けてあってもよい。これにより、アダプタ２は取付鍔部２２、２２の係止凹部５に係止突起６を係止された状態で、カバー４と取付孔３の孔縁前面３０とにより取付鍔部２２、２２を挟持されて取付パネル１に固定されるものである。
【００１５】
そうすると、各アダプタ２毎に取付パネル１にネジ止めすることが不要で取付作業の手間、時間を削減できるものである。また、各アダプタ２は取付孔３内の取付位置によらず、適切かつ均一の力で孔縁前面３０と取付パネル１との間に挟持することができるものである。なお、係止凹部５と係止突起６の係止は容易に抜け出ることのない抵抗のあるものとすることにより、カバー４を取付パネル１にねじ止めする前にアダプタ２を取付パネル１又はカバー４に仮保持することができ、取付パネル１が垂直な状態でのアダプタ２の取り付け作業を容易にするものである。
【００１６】
なお、前記した前記アダプタ２の取付鍔部２２、２２の前後面に少なくとも一方に設ける係止凹部５は、図示のアダプタ２においてはネジ止めすることのできるネジ挿通用の透孔の前後を係止凹部５として取付鍔部２２、２２の前後面の双方に設けたものであるが、透孔とせず凹陥状に取付鍔部２２、２２の前後面の双方又はどちらか一方に設けたものであってもよい。
【００１７】
また、カバー４を取付パネル１に固定する手段としては前記したネジ止めすることのできるネジ挿通用の透孔の前後を係止凹部５とした図示のアダプタ２を使用するものにあっては、取付孔３の両端側すなわち最上部と最下部に固定するアダプタ２の透孔にカバー４に設けたネジ挿通孔４２からを止めネジ７を挿通したうえ取付パネル１に設けたネジ孔１１に螺合させてカバー４を取付パネル１に固定するものである。なお、アダプタ２の係止凹部５を透孔とせず凹陥状に取付鍔部２２、２２の前後面の双方又はどちらか一方に設けたものにあっては、カバー４の上下にネジ挿通孔４２を設けこれに対応させて取付パネル１設けたネジ孔１１に止めネジ７により固定してもよいものである。
【００１８】
（実施例１）
この第１の実施形態の図１―図４に示す実施例１は、係止凹部５をネジ挿通用の透孔の前後を係止凹部５として取付鍔部２２の前後面の双方に設けたものとして、また、係止突起６を取付パネル１すなわち取付孔３の孔縁前面３０とカバー４の双方に設け、前記係止凹部５に対応させて取付パネル１の取付孔３の孔縁前面３０又はカバー４に設ける係止突起６は、上下に互い違いに向かい合うように形成したものである。そうすると、アダプタ２の取付鍔部２２、２２の係止凹部５の一方が必ず取付パネル１の係止突起６に他方がカバー４の係止突起６に係止させることができるので、各アダプタ２は取付孔３内の取付位置によらず、適切かつ均一の力で孔縁前面３０と取付パネル１との間に挟持することができるものである。また、このように係止突起６を上下に互い違いに向かい合うように形成したものは突起形成の加工費用が安くなる利点がある。
【００１９】
（実施例２）
この第１の実施形態の図５に示す実施例２は、取付パネル１の両面にそれぞれ間隔を異にして係止突起６を配置したものであり、取付パネル１の表裏を逆にすることにより、アダプタ２の係止凹部５に応じた間隔の係止突起６を設けた面を選択して使用することができるものである。例えば、単芯用のアダプタ２（２ａ）にあっては係止突起６の間隔の狭い面１ａ側を取付孔３の孔縁前面３０側として、二芯用のアダプタ２（２ｂ）にあっては係止突起６の間隔の広い面１ｂ側を取付孔３の孔縁前面３０側として選択使用すればよいものである。
【００２０】
（実施例３）
この第１の実施形態の図６に示す実施例１は、カバー４の両面にそれぞれ間隔を異にして係止突起６を配置したものであり、カバー４の表裏を逆にすることにより、アダプタ２の係止凹部５に応じた間隔の係止突起６を設けた面を選択して使用することができるものである。例えば、単芯用のアダプタ２（２ａ）にあっては係止突起６の間隔の狭い面４ａ側を取付孔３の孔縁前面３０側として、二芯用のアダプタ２（２ｂ）にあっては係止突起６の間隔の広い面４ｂ側を取付孔３の孔縁前面３０側として選択使用すればよいものである。
【００２１】
（実施例４、５）
この第１の実施形態の図７、８に示す実施例４は、取付パネル１とカバー４のうち、取付パネル１の片面にアダプタ２の係止凹部５に対応する係止突起６を配置したものである。また、図９に示す実施例５は、これとは逆にカバー４の片面には係止突起６を配置したものである。
【００２２】
〔第２の実施形態〕
次ぎに、図１０―図１３に示す第２の実施形態について説明する。
この第２の実施形態は、アダプタ２を列状方向の側面となる左右の外側面２１、２１に張設した取付鍔部２２、２２を取付パネル１の取付孔３の孔縁前面３０に当接させて取り付けるものであること。、また、前記取付孔３と対応した透孔４１を設けたカバー４を取付鍔部２２、２２の前面に当接して該カバー４を取付パネル１に固定して前記孔縁前面３０とにより挟持して係止凹部５と係止突起６を係止させてアダプタ２を取付パネル１に固定することは前記第１の実施形態と同じである。しかし、この第２の実施形態のものは、係止凹部５を取付パネル１又はカバー４の少なくともどちらか一方に設けた、係止突起６をアダプタ２すなわち該アダプタ２の取付鍔部２２に設けた点が前記第１の実施形態と異なるものである。
【００２３】
（実施例６、７）
すなわち、図１０及び図１１に示す実施例６、７は、取付パネル１の取付孔３に一列に方向に取り付けるアダプタ２は列状方向の側面となる左右の外側面２１、２１に張設した取付鍔部２２、２２の取付パネル１の反対面となる前面に係止突起６を設けたものである。そして、取付鍔部２２、２２の前面に当接して取付パネル１に固定されるカバー４に取付孔３に多数列状に取り付けるアダプタ２の前記係止突起６に対応した係止凹部５を配設したものである。なお、係止凹部５はカバー４に貫通孔として形成したものであるが凹陥状に形成したものであってもよい。
【００２４】
なお、図１０に示す実施例７は、係止凹部５を同間隔で配置したもので同一規格例えば単芯用のアダプタ２（２ａ）に対応するものとしている。また、図１１に示す実施例８は係止凹部５を同間隔に配置したうえその間に間隔を異にした係止凹部５ａを配設して、規格のことなるアダプタ例えば、単芯用のアダプタ２（２ａ）と単芯用のアダプタ２（２ｂ）に対応できるものとしている。
【００２５】
（実施例８、９）
次に、図１２及び図１３に示す実施例８、９は、取付パネル１の設けた取付孔３に一列に方向に取り付けるアダプタ２は列状方向の側面となる左右の外側面２１、２１に張設した取付鍔部２２、２２の取付パネル１側となる後面に係止突起６を設けたものである。そして、取付パネル１に取付孔３に多数列状に取り付けるアダプタ２の前記係止突起６に対応した係止凹部５を配設したものである。なお、係止凹部５は取付パネル１に貫通孔として形成したものであるが凹陥状に形成したものであってもよい。
【００２６】
また、図１２に示す実施例８は、係止凹部５を同間隔で配置したもので同一規格例えば単芯用のアダプタ２（２ａ）に対応するものとしている。また、図１３に示す実施例９は係止凹部５を同間隔に配置したうえその間に間隔を異にした係止凹部５ａを配設して、規格のことなるアダプタ例えば、単芯用のアダプタ２（２ａ）と単芯用のアダプタ２（２ｂ）に対応できるものとしている。
【００２７】
また、この第２の実施形態の実施例６−９は何れも、カバー４を取付パネル１に固定する具体的手段は、図示のとおりカバー４の上下にネジ挿通孔４２を設けこれに対応させて取付パネル１にネジ孔１１を設けて止めネジ７により固定しているものである。
【００２８】
また、係止凹部５を凹陥状に形成したものとした場合には、カバー４又は取付パネル１の両面にそれぞれ間隔を異にして係止凹部５を配置して、カバー４又は取付パネル１の表裏を逆にすることにより、アダプタ２の係止突起６に応じた間隔の係止凹部５を設けた面を選択して使用することができるものである。例えば、単芯用のアダプタ２（２ａ）と二芯用のアダプタ２（２ｂ）に対応できるものである。
【００２９】
なお、前記第１及び第２の実施形態の図示のカバー４は何れも一つの取付孔３に対応したものであるが、複数の取付孔３に対応させたものであってもよいことは勿論である。また、取付パネル１にカバー４を固定する手段もネジ止めに限定されることなく、係止爪など他の手段でよいものである。
【図面の簡単な説明】
【００３０】
【図１】第１の実施形態の実施例１を示す一部切欠斜視図。
【図２】第１の実施形態の実施例１に使用する取付パネルを示す図であり、（Ａ）は正面図、（Ｂ）は側面図。
【図３】第１の実施形態の実施例１に使用するカバーを示す図であり、（Ａ）は正面図、（Ｂ）は側面図。
【図４】第１の実施形態の実施例１を示す側面図。
【図５】第１の実施形態の実施例２を示す一部切欠斜視図。
【図６】第１の実施形態の実施例３を示す一部切欠斜視図。
【図７】第１の実施形態の実施例４を示す一部切欠斜視図。
【図８】第１の実施形態の実施例４を示す側面図。
【図９】第１の実施形態の実施例５を示す一部切欠斜視図。
【図１０】第２の実施形態の実施例６を示す一部切欠斜視図。
【図１１】第２の実施形態の実施例７を示す一部切欠斜視図。
【図１２】第２の実施形態の実施例８を示す一部切欠斜視図。
【図１３】第２の実施形態の実施例９を示す一部切欠斜視図。
【図１４】従来例を示す正面図。
【図１５】従来例を示す側面図。
【図１６】従来例を使用したスプライスユニット示す斜視図。
【符号の説明】
【００３１】
１  取付パネル
２  アダプタ
21  外側面
22  取付鍔部
３  取付孔
30  孔縁前面
４  カバー
５  係止凹部
６  係止突起
【図１】
2010101981.tif 000003
【図２】
2010101981.tif 000004
【図３】
2010101981.tif 000005
【図４】
2010101981.tif 000006
【図５】
2010101981.tif 000007
【図６】
2010101981.tif 000008
【図７】
2010101981.tif 000009
【図８】
2010101981.tif 000010
【図９】
2010101981.tif 000011
【図１０】
2010101981.tif 000012
【図１１】
2010101981.tif 000013
【図１２】
2010101981.tif 000014
【図１３】
2010101981.tif 000015
【図１４】
2010101981.tif 000016
【図１５】
2010101981.tif 000017
【図１６】
2010101981.tif 000018